(57)【特許請求の範囲】
【請求項１】
送信された放送信号を受信可能な放送受信装置であって、
前記放送信号を受信する受信手段と、
予め設定された画質及び音声の設定値を第１の設定値として記憶する記憶手段と、
前記第１の設定値と異なる画質及び音声の第２の設定値を記録した記録媒体から第２の設定値を取得する取得手段と、
前記記憶手段の出力である前記第１の設定値のスケールと前記取得手段の出力である前記第２の設定値のスケールとを比較する比較手段と、
前記比較手段の出力が前記第１の設定値のスケールと前記第２の設定値のスケールが同一でないことを示す場合には前記第２の設定値を前記第１の設定値のスケールに補正する補正手段と、
前記受信手段により受信された放送信号を前記補正手段により補正された値に基づいて出力する出力手段と、
を有する放送受信装置。
【発明の詳細な説明】
【技術分野】
【０００１】
本願発明は放送受信装置における受信装置設定情報に関し、特にユーザの受信装置設定情報を、異なるデジタル放送受信装置を買い換えた場合、あるいは別の場所にあるデジタル放送受信装置で使用できるようにするデータの記憶方法とデータの変換方法に関するものである。
【背景技術】
【０００２】
近年、テレビ放送のデジタル化が推進され、映像や音声がデジタル化し電送されるデジタル放送が本格運用を開始している。デジタル放送には、人工衛星を用いた衛星デジタル放送と、従来の地上アナログ放送のように地上の放送アンテナより電波を送出し、特定地域にサービスを提供する地上デジタル放送がある。このようなデジタル放送では、従来のアナログ放送では難しかった双方向通信を利用したデータ放送サービスや多チャンネル放送、高画質放送、高音質放送などが行われるようになっている。
【０００３】
データ放送サービスでは、視聴者の個人情報を登録したり、番組内で設定されるポイント計算を利用したりすることで、デジタル放送受信装置内部のモデム装置により電話回線を介して、放送事業者側へデータ通信をすることも可能である。従来、これらの特徴を有したデジタル放送受信装置においては、受信機内部で視聴者が設定すべき受信機内部の設定は複雑多様化する傾向にある。
【０００４】
従来のデジタル放送受信装置には、特許文献１のように、これらの複雑性を解決するために表示される番組の選局チャンネルを視聴者に見える番組表の表示形式を変更することで、視聴者が容易に選局を行えるようにするものがあった。
【特許文献１】特開２００２−２７２８１号公報
【発明の開示】
【発明が解決しようとする課題】
【０００５】
しかしながら、特許文献１のような従来例では、以下の点について課題がある。前述のように、放送受信装置において、複雑かつ多様になる受信装置設定情報は、別の場所で放送受信装置を利用する場合に、地域によって物理チャンネルが異なるため、チャンネルのプリセット値が元の場所と異なる値になってしまうことと、異なる機種の放送受信装置を利用する場合に、受信装置設定情報が同じ値であっても、機種の特性によって映像の表示のされ方や音声の音質などが異なってしまうという課題がある。
【課題を解決するための手段】
【０００６】
このような課題に対して、本願発明では、放送信号を受信する受信手段と、受信手段により受信可能な放送を選択する入力する選択手段と、放送受信装置において、設定可能な放送局又は番組ごとの識別番号を第１の設定値として記憶する記憶手段と、選択手段により放送局又は番組の選択が行われた場合には、記憶手段に記憶された第１の設定値に基づいて番組を出力する出力手段と、第１の設定値と異なる放送局又は番組ごとの識別番号を記録した記録媒体から第２の設定値を取得する取得手段とを備え、取得手段により第２の設定値を取得した場合には、選択手段からの放送局又は番組の選択を第２の設定値に基づいて、出力手段から放送信号を出力することを特徴とする。この構成により、地域によって物理チャンネルが異なる場合であっても、ユーザーは地域によるチャンネルの違いを意識することなく、放送局又は番組の選択を行うことが可能になる。
【０００７】
また、本願発明では、放送信号を受信する受信手段と、放送受信装置において、設定可能な画質及び音声の設定値を第１の設定値として記憶する記憶手段と、受信手段により受信された放送信号を記憶手段により記憶した第１の設定値に基づいて出力する出力手段と、
第１の設定値と異なる画質及び音声の第２の設定値を記録した記録媒体から第２の設定値を取得する取得手段とを備え、取得手段により第２の設定値を取得した場合には、出力手段における第１の設定値を第２の設定値に変更し、第２の設定値に基づいて放送信号を出力することを特徴とする。この構成により、別の放送受信装置において視聴する場合においても、ユーザーが使いなれた画質及び音声の設定に基づいて番組を視聴することが可能になるものである。
【０００８】
また、本願発明では、さらに、第１の設定値及び第２の設定値のスケールを比較する比較手段を備え、比較手段による第１の設定値と第２の設定値のスケールの違いに基づいて第２の設定値を第１の設定値のスケールに補正する補正手段とを備えたことを特徴とする。この構成により、例えば画質及び音声の設定の絶対値が異なる場合であっても、適切な画質及び音声の値に補正することが可能になるものである。
【発明の効果】
【０００９】
この発明により、異なる地域において番組を視聴する場合や、異なる機種の放送受信装置において番組を視聴する場合であっても、自動的にユーザーの趣向に応じた設定で番組を視聴することが可能になるものである。
【発明を実施するための最良の形態】
【００１０】
以下本願発明を実施するための最良の形態について、図面を参照しながら説明する。
【００１１】
（実施の形態１）
図１は、本願発明の実施の形態１における放送受信装置の構成を示したブロック図である。図１に示すように、本願発明の放送受信装置１０は、受信した放送信号の復調を行う復調手段１２と、復調手段１２により復調された放送信号を映像信号と音声信号とその他のデータ信号とに分離する分離手段１４と、分離手段１４により分離された映像信号と音声信号とデータ信号とをデコードするデコード手段１６と、デコード手段１６によりデコードされた映像信号と音声信号とデータ信号をモニタに出力する出力手段１８と、放送受信装置１０により備えられているインターフェースに接続可能な画像や音声又は選局情報などのデータが格納可能なメモリカード等により構成される外部記録手段２０と、外部記録手段２０のインターフェースとなる接続手段２２と、マイコン等により構成される制御手段２４と、ユーザーにより又は製造段階で設定される画像や音声又は選局情報に関する情報を記録する第１記録手段２６と、制御手段２４の制御により、接続手段２２を介して外部記録手段２０に記録された画像や音声又は選局情報に関する情報を記録する第２記録手段２８により構成されている。
【００１２】
また、図示はしていないが、本願発明における放送受信装置１０は、リモコン等によりユーザーから外部信号を入力することが可能な構成となっている。また、図１においては、第１記録手段２６と第２記録手段２８とは別の記録手段の構成になっているが、本願発明はこの構成に制限されるものではなく、同一の記録手段に別の領域を設けることにより同様の構成を設けることが可能になる。
【００１３】
また、図１においては、外部記録手段２０を用いて説明しているが、本願発明はこの構成に制限されるものではなく、公衆回線に接続可能なネットワークを介して外部からの情報を入手することも可能である。また、本願発明における放送受信装置は、衛星放送、地上放送、ケーブル放送のいずれの放送方式にも対応可能なものである。
【００１４】
次に、本願発明において、第１記録手段２６及び第２記録手段２８に記録される選局情報について図２及び図３を参照しながら説明する。図２及び図３Ａは、第１記録手段２６に記録された選局情報を示しており、第１記録手段２６に記録された選局情報は、地域ごとの各放送局のチャンネル番号により構成されている。なお、この実施の形態においては説明を簡単化するために放送局ごとのチャンネル番号を示しているが、本願発明はこれに制限させるものではなく、例えば、番組ごとのチャンネル番号を示すものであってもよい。
【００１５】
ここで、第１記録手段２６には、ユーザーの選択又は予め放送受信装置１０にプリセットされた値として、図２の関東地域における放送局ごとのチャンネル番号が設定されている。一方、図３Ｂに示すように、外部記録手段２０に記録されており、制御手段２４の制御により接続手段２２を介して入力される図２の関西地域における放送局ごとのチャンネル番号が記録されている。なお、本実施の形態においては、説明の簡単化のために省略したが、ユーザーの設定に好みにより予めお好み番組を１ｃｈ、２ｃｈと設定しておく、お好み選局情報も第１記録手段２６及び第２記録手段２８に設定することが可能である。
【００１６】
次に、画像情報について説明する。本願発明において、第１記録手段２６及び第２記録手段２８に記録される画像情報としては、代表的なものとして、濃紺や明るさを設定するためのピクチャ情報、夜の画面や髪の毛を鮮明に表示するための黒レベル情報、肌色を鮮明に表示するための肌色レベル情報、映像の輪郭をみやすくするためのシャープネス情報、画面の全体の色彩を設定するための色の濃さ情報、好みの色調に設定するための色温度情報、色をより鮮やかに表示するためのビビッド情報、周囲の明るさに応じた見やすい画面に設定するための明るさオート情報、輪郭強調の要否を設定するための輪郭強調情報、垂直又は水平の画面サイズを示すサイズ情報、セルフワイドの要否を設定するためのセルフワイド情報、画面のちらつきを軽減するためのＮＲ情報、ＭＰＥＧ特有のブロックノイズを軽減するか否かを設定するためのＭＰＥＧ  ＮＲ情報、虹模様や粒上のノイズを軽減するための３次元Ｙ／Ｃ分離情報、黒尾部分の明るさの設定を行うブランク輝度情報などにより構成されている。
【００１７】
次に、音声情報について説明する。本願発明において、第１記録手段２６及び第２記録手段２８に記録される音声情報としては、低音の調整を行うバス情報、高音の調整を行うトレプル情報、左右音量の調整を行うバランス情報、入力ソース（放送信号、外部入力信号）ごとにベース音量を設定するための音量補正情報などにより構成されている。
【００１８】
なお、その他の第１記録手段２６及び第２記録手段２８に記録される情報としては、消費電力の設定を行う電力設定情報や放送受信装置１０にネットワークが接続された場合には好みのホームページを記録しておくことも可能である。
【００１９】
次に、図４を参照して本願発明の処理について説明する。図４は、本願発明の外部記録手段２０からユーザーのデータを読み込み、放送受信装置１０のプリセットデータを更新する動作を説明するフローチャートである。ここでは、代表例として選局情報の処理方法について説明する。まず、最初に、ユーザーデータが入力された外部記録手段２０が放送受信装置１０の接続手段２２を介して接続されたか否かを判断する（ステップ１００）。
【００２０】
ここでは、図示していないが、外部記録手段２０において、図３Ｂに示すユーザーデータの有無を判断してもよい。また、接続手段２２に外部記録手段２０が接続された時点において、第２記録手段２８に外部記録手段２０に格納されたユーザーデータを記録する。なお、ここで外部記録手段２０に記録された内容と第１記録手段に記録された内容を比較して、内容が異なる場合にのみ第２記録手段に記録する構成としてもよい。これにより、処理の高速化及びメモリを効率的に活用することが可能になる。
【００２１】
次に、ステップ１００において、外部記録手段２０が接続手段２２に接続されたと判断した場合には、放送受信装置１０の第１記録手段２６に予め図３Ａで示したプリセット情報が記録されているか否かを判断する（ステップ１０２）。
【００２２】
次に、ステップ１０２において第１記録手段２６にプリセットデータがあると判断した場合には、画面上にユーザーデータ及びプリセットデータの両方があることをユーザーに通知する（ステップ１０４）。これにより、ユーザーにとっては選局情報として複数の選択肢があることを認識することが可能になる。具体的には、ステップ１０４において、予め放送受信装置１０の第１記録手段２６にプリセットして記録されているプリセットデータと外部記録手段２０を接続手段２２に接続することにより、放送受信装置１０の第２記録手段２８に記録されたユーザーデータとのいずれの情報に基づいて選局処理を実行するかを画面上に表示することにより、ユーザーがプリセットデータ又はユーザーデータのいずれのデータを使用するかを選択することが可能になる。
【００２３】
次に、ステップ１０６において、ユーザーが、外部記録手段２０に記録されたユーザーデータに基づいて選局を行うことを選択した場合には、制御手段２４は、第１記録手段に記録されたプリセットデータから外部記録手段２０に記録されたユーザーデータを記録した第２記録手段へアクセスするデータを切り換える。具体的には、マイクロプロセッサ等により構成された制御手段２４において、選局処理を行う際にアクセスするアドレスをプリセットデータが記録された第１記録手段からユーザーデータが記録された第２記録手段を変更する（ステップ１０８）。
【００２４】
なお、この実施の形態においては、ステップ１０４においてプリセットデータ及びユーザーデータを表示して、ステップ１０６においてユーザーが選択する処理を行っているが、本願発明の処理はこれに限定されるものではなく、外部記録手段が接続された場合には、ユーザーはプリセットデータをユーザーデータに変更することを希望しているものと判断することが可能であるため、外部記録手段２０が接続手段２２に接続された時点において、制御手段２４において、第１記録手段２６に記録されたプリセットデータから外部記録手段２０に記録されたユーザーデータを記録した第２記録手段２８にアクセスするデータを切り換える。
【００２５】
以上の処理により、放送受信手段１０において予めプリセットされている選局情報から、外部記録手段２０に記録されている選局情報に基づいた選局を行うことが可能になり、例えば、図３Ａ及び図３Ｂに示すように、日テレ系列を選択する場合には、放送受信手段１０において予めプリセットされている「４」をリモコン等により選択すること必要はなく、ユーザーが使いなれた「１０」をリモコン等により選択することによりユーザーは選局を行うことが可能になり、放送信号を受信する地域が変った場合であっても、ユーザーが違和感なく選局を行うことが可能になるものである。
【００２６】
（実施の形態２）
次に、本願発明の実施の形態２について、図５から図９を参照しながら説明する。上述した実施の形態１においては、選局情報について説明したが、実施の形態２においては、画質情報及び音声情報の処理について説明する。
【００２７】
図５は、本願発明の実施の形態２における放送受信装置５０の構成を示したブロック図である。図５に示すように、本願発明の放送受信装置５０は、受信した放送信号の復調を行う復調手段５２と、復調手段５２により復調された放送信号を映像信号と音声信号とその他のデータ信号とに分離する分離手段５４と、分離手段５４により分離された映像信号と音声信号とデータ信号とをデコードするデコード手段５６と、デコード手段５６によりデコードされた映像信号と音声信号とデータ信号を画質及び音質の調整を行いながらモニタに出力する出力手段５８と、放送受信装置５０により備えられているインターフェースに接続可能な画像や音声のデータが格納可能なメモリカード等により構成される外部記録手段６０と、外部記録手段６０を接続するためのインターフェースとなる接続手段６２と、マイコン等により構成される制御手段６４と、ユーザーにより又は製造段階で設定される画像や音声に関する情報を記録する第１記録手段６６と、制御手段６４の制御により、接続手段６２を介して外部記録手段６０に記録された画像や音声に関する情報を記録する第２記録手段６８とにより構成されている。
【００２８】
また、図示はしていないが、本願発明における放送受信装置６０は、リモコン等によりユーザーから外部信号を入力することが可能な構成となっている。また、図５においては、第１記録手段と第２記録手段とは別の記録手段の構成になっているが、本願発明はこの構成に制限されるものではなく、同一の記録手段に別の領域を設けることにより同様の構成を設けることが可能になる。また、図５においては、外部記録手段を用いて説明しているが、本願発明はこの構成に制限されるものではなく、公衆回線に接続可能なネットワークを介して外部からの情報を入手することも可能である。また、本願発明における放送受信装置は、衛星放送、地上放送、ケーブル放送のいずれの放送方式にも対応可能なものである。
【００２９】
次に、第１記録手段及び第２記録手段に記録される画質情報及び音声情報について図６を参照しながら説明する。なお、この実施の形態２においては、画質情報及び音声情報の代表例として、黒レベル、色の濃さ、シャープネスを例として説明する。
【００３０】
図６Ａは、第１記録手段６６に予めプリセットして記録された黒レベル、色の濃さ、シャープネスの値を示すものである。この第１記録手段６６に予めプリセットされる値としては、メーカーからの出荷時に設定された値や、以前にこの放送受信装置５０を使用したユーザーが設定した値がプリセットデータとして記録されている。
【００３１】
図６Ａに示すように、黒レベルが８段階中の５、色の濃さが８段階中の４、シャープネスが８段階中の７がプリセットデータとして第１記録手段６６に記録されている。これに対して、図６Ｂは、外部記録手段６０に記録されており、接続手段６２を介して第２記録手段６８に記録された黒レベル、色の濃さ、シャープネスのユーザーデータの値を示すものである。この第２記録手段６８に記録されたユーザーデータの値としては、ユーザーがこの放送受信装置６０以外の放送受信装置で使用しているユーザーの趣向に従った黒レベル、色の濃さ、シャープネスの値が記録されている。
【００３２】
この実施の形態では、図６Ｂに示すように、黒レベルが８段階中の３、色の濃さが８段階中の４、シャープネスが８段階中の６がユーザーデータとして外部記録手段６０及び接続手段６２を介して外部記録手段６０からのデータを取得した第２記録手段６９に記録されている。
【００３３】
このような構成において、図７を参照しながら、実施の形態２における放送受信装置５０の処理について説明する。図７は、本願発明の外部記録手段６０からユーザーのデータを読み込み、放送受信装置のプリセットデータを更新する動作を説明するフローチャートである。ここでは、代表例として黒レベル、色の濃さ、シャープネスの処理方法について説明する。まず、最初に、ユーザーデータが入力された外部記録手段６０が放送受信装置５０の接続手段６２を介して接続されたか否かを判断し、接続されている場合には、外部記録手段６０からデータを読み出す（ステップ２００）。
【００３４】
次に、ステップ２０２において、外部記録手段６０において、図６Ｂに示すユーザーデータＢ１、Ｂ２、Ｂ３の有無を判断する。また、接続手段６２に外部記録手段６０が接続された時点において、第２記録手段６８に外部記録手段６０に格納されたユーザーデータＢ１、Ｂ２、Ｂ３を記録する。なお、ここで外部記録手段６０に記録された内容Ｂ１、Ｂ２、Ｂ３と第１記録手段６６に記録された内容Ａ１、Ａ２、Ａ３を比較して、内容が異なる場合にのみ第２記録手段６８に記録する構成としてもよい。これにより、処理の高速化及びメモリを効率的に活用することが可能になる。
【００３５】
次に、ステップ２０４において、外部記録手段６０が接続手段６２に接続されたと判断した場合には、放送受信装置５０の第１記録手段６６に予め図６Ａで示したプリセット情報Ａ１、Ａ２、Ａ３が記録されているか否かを判断する。次に、ステップ２０６、ステップ２０８、ステップ２１０において、ステップ２０２において取得したユーザーデータに黒レベル情報（Ｂ１）、色の濃さ（Ｂ２）、シャープネス（Ｂ３）の情報の有無を判別する。
【００３６】
なお、ここで、画面上にユーザーデータＢ１、Ｂ２、Ｂ３及びプリセットデータＡ１、Ａ２、Ａ３の両方があることをユーザーに通知することにより、ユーザーにとっては選局情報として複数の選択肢があることを認識する処理を行うことも可能である。これにより、ユーザーは自分の好みに応じた黒レベル、色の濃さ、シャープネスを設定することが可能になる。ここで、実際にユーザーデータ及びプリセットデータの両方を２画面同時に出力することにより、ユーザーにいずれかの設定を選択させることも可能である。これにより、ユーザーが容易にそれらの設定を選択することが可能になるものである。
【００３７】
次に、ステップ２１２において、ユーザーが、外部記録手段６０に記録されたユーザーデータＢ１、Ｂ２、Ｂ３に基づいて番組を表示することを行うことを選択した場合には、制御手段６４は、第１記録手段６６に記録されたプリセットデータＡ１、Ａ２、Ａ３から外部記録手段６０に記録されたユーザーデータＢ１、Ｂ２、Ｂ３を記録した第２記録手段６８へアクセスするデータを切り換える。具体的には、マイクロプロセッサ等により構成された制御手段６４において、選局処理を行う際にアクセスするアドレスをプリセットデータが記録された第１記録手段６６からユーザーデータが記録された第２記録手段６８に変更する（ステップ２１２、２１４、２１６）。
【００３８】
なお、この実施の形態においては、プリセットデータ及びユーザーデータを表示して、ユーザーが選択する処理を行っているが、本願発明の処理はこれに限定されるものではなく、外部記録手段が接続された場合には、ユーザーはプリセットデータをユーザーデータに変更することを希望しているものと判断することが可能であるため、外部記録手段６０が接続手段６２に接続された時点において、制御手段６４において、第１記録手段６６に記録されたプリセットデータから外部記録手段６０に記録されたユーザーデータを記録した第２記録手段６８にアクセスするデータを切り換える。
【００３９】
これにより、ステップ２１８に示すように、ユーザーは通常設定している画質及び音質に基づいて、番組を表示することが可能になるため、ユーザーは違和感なく番組を視聴することが可能になるものである。
【００４０】
なお、上述した部屋の明るさに合わせた濃淡や明るさを設定するためのピクチャ情報については、外部記録手段６０に記録されたユーザーデータよりも、放送受信装置５０の第１記録手段に記録されたプリセットデータの方が適切な値を示していることが多いと考えられるため、外部記録手段６０が接続手段６２に接続された場合であっても、そのピクチャ情報の値を変更することなく、制御手段６４において、第２記録手段６８のユーザーデータにアクセスするのではなく、第１記録手段６６のプリセットデータに基づいて画質の制御を行うことも可能である。また、ピクチャ情報以外にもユーザーデータよりもプリセットデータの方が適切な値であると考えられる場合には、適宜第１記録手段６６のプリセットデータに基づいて画質及び音質の制御を行うことは可能である。
【００４１】
ここで、画質情報や音声情報の処理においては、放送受信装置１０を製造するメーカーの違いや同一のメーカーであっても機種の違いに応じて、画質情報や音声情報の設定が異なる場合があることが問題となる。この場合の処理について、図８から図９を参照しながら説明する。
【００４２】
図８は、本願発明の放送受信装置１００の構成を示したブロック図である。図８に示すように、本願発明の放送受信装置１００は、受信した放送信号の復調を行う復調手段１０２と、復調手段１０２により復調された放送信号を映像信号と音声信号とその他のデータ信号とに分離する分離手段１０４と、分離手段１０４により分離された映像信号と音声信号とデータ信号とをデコードするデコード手段１０６と、デコード手段１０６によりデコードされた映像信号と音声信号とデータ信号を画質及び音質の調整を行いながらモニタに出力する出力手段１０８と、放送受信装置１００により備えられているインターフェースに接続可能な画像や音声のデータが格納可能なメモリカード等により構成される外部記録手段１１０と、外部記録手段１１０を接続するためのインターフェースとなる接続手段１１２と、マイコン等により構成される制御手段１１４と、ユーザーにより又は製造段階で設定される画像や音声に関する情報を記録する第１記録手段１１６と、制御手段１１４の制御により、接続手段１１２を介して外部記録手段１１０に記録された画像や音声に関する情報を記録する第２記録手段１１８と、第１記録手段１１６に記録された第１の設定値と第２記録手段１１８に記録された第２の設定値のスケールを比較する比較手段と比較手段１２０による第１の設定値と第２の設定値のスケールの違いに基づいて第２の設定値を第１の設定値のスケールに補正する補正手段とからなる比較／補正手段１２０とにより構成されている。
【００４３】
なお、ここで、第１の設定値及び第２の設定値のスケールとは、製造するメーカーの違いや同一のメーカーであっても機種の違いに応じて異なる、画質や音質を設定するための最大値又は最小値をいう。具体的には、図９に示すように、機種Ａにおいては明るさは０から５０の５０段階で設定されており、一方、機種Ｃは―５０から＋５０の１００段階で設定されているように、機種に応じて、明るさを設定するためのパラメータが異なることをいう。
【００４４】
ここで、この実施の形態２においては、図９に示すように、外部記録手段１１０には、通常ユーザーが使用している機種Ａについての画質及び音質の設定が記録されている。具体的には、明るさが０から５０段階のうちの２５に設定されており、色合いについては０から５０段階のうちの３０に設定されている。次に、現在ユーザーが使用している機種Ｃの第１記録手段１１６にはプリセットされた明るさ及び色合いについての情報に加えて、図９に示すように、放送受信装置１００の機種情報、さらに、変換データが記録されている。
【００４５】
この変換データには、放送受信装置を製造するメーカーごと、さらには、同一メーカーであっても機種ごとの明るさ及び色合いについてのパラメータの情報が格納されている。具体的には、機種Ａの明るさについては０から５０の５０段階、色合いについては０から５０の５０段階のパラメータにより明るさ及び色合いが設定されていることが記録されており、さらに、機種Ｂの明るさについては０から１００の１００段階、色合いについては０から１００の１００段階のパラメータにより明るさ及び色合いが設定されていることが記録されている。なお、この変換データについては、新たな放送受信装置が製造されるごとにデータを更新することが必要になるため、図８には図示していないが、外部通信回線等を用いて、変換データをアップデートすることが可能である。
【００４６】
以上のような構成に基づいて、放送受信装置１００の具体的な処理について説明する。なお、第１の設定値及び第２の設定値について比較及び補正を行う処理以外については、上述した放送受信装置５０と同様の処理を行うため説明を省略する。まず、外部記録手段１１０から第２記録手段１１８に記録される。次に、比較／補正手段１２０は、第２記録手段１１８に記録された第２の設定値と予め第１記録手段１１６に記録された第１の設定値とのスケールを比較する。図９においては、第２記録手段１１８には、ユーザーが通常使用している機種Ａについて、明るさ０から５０段階中２５、色合い０から５０段階中３０の第２の設定値が記録されている。一方、第１記録手段１１６には、機種情報として機種Ｃであること、及び明るさ―５０から５０段階中６、色合い―５０から５０段階中８であることが記録されている。
【００４７】
従って、比較／補正手段１２０においては、第１記録手段１１６に記録された第１の設定値と第２記録手段１１８記録された第２の設定値のスケールを比較して、スケールが同一でないことを識別する。次に、比較／補正手段１２０においては、機種Ａが０から５０段階のスケールを使用しており、機種Ｃが０から５０の１００段階のスケールを使用していることから、第２記録手段１１８に記録された第２の設定値の値を変換する。具体的には、図９に示すように、明るさの設定を２５から−２に変換し、色合いの設定を３０から１８に変換する。
【００４８】
次に、制御手段１１４により、出力手段１０８から画像を出力する場合に、予め設定された第１記録手段１１６の第１の設定値に代えて、比較／補正手段１２０により補正された第２記録手段１１８の値に基づいて画像の出力を行う。
【００４９】
これにより、ユーザーは通常設定している画質及び音質に基づいて、番組を表示することが可能になるため、ユーザーは違和感なく番組を視聴することが可能になるとともに、製造するメーカーや機種の違いにより、スケールが異なる場合であっても、適切な画質及び音質に設定することが可能になるものである。
【００５０】
なお、以上の説明においては、一例として、明るさ及び色合いについて説明したが、本願発明はこれに限られるものではなく、その他の画質及び音質についても同様の処理を行うことが可能である。
【産業上の利用可能性】
【００５１】
本願発明は放送受信装置における受信装置設定情報に関し、特にユーザの受信装置設定情報を、異なるデジタル放送受信装置を買い換えた場合、あるいは別の場所にあるデジタル放送受信装置で使用できるようにするデータの記憶方法とデータの変換方法において有用である。
【図面の簡単な説明】
【００５２】
【図１】本発明の第１の実施形態の放送受信装置のブロック図
【図２】本発明の番組設定情報を示す図
【図３Ａ】本発明の番組設定情報を示す図
【図３Ｂ】本発明の番組設定情報を示す図
【図４】本発明の第１の実施形態の処理のフローチャート
【図５】本発明の第２の実施形態の放送受信装置のブロック図
【図６Ａ】本発明の画質の設定情報を示す図
【図６Ｂ】本発明の画質の設定情報を示す図
【図７】本発明の第２の実施形態の処理のフローチャート
【図８】本発明の第２の実施形態の放送受信装置のブロック図
【図９】本発明の第２の実施形態の変換処理を示す図
【符号の説明】
【００５３】
１０、５０、１００    放送受信装置
１２、５２、１０２    復調手段
１４、５４、１０４    分離手段
１６、５６、１０６    デコード手段
１８、５８、１０８    出力手段
２０、６０、１１０    外部記録手段
２２、６２、１１２    接続手段
２４、６４、１１４    制御手段
２６、６６、１１６    第１記録手段
２８、６８、１１８    第２記録手段
１２０    比較／制御手段
【図１】
0004609310.tif 000002
【図２】
0004609310.tif 000003
【図３Ａ】
0004609310.tif 000004
【図３Ｂ】
0004609310.tif 000005
【図４】
0004609310.tif 000006
【図５】
0004609310.tif 000007
【図６Ａ】
0004609310.tif 000008
【図６Ｂ】
0004609310.tif 000009
【図７】
0004609310.tif 000010
【図８】
0004609310.tif 000011
【図９】
0004609310.tif 000012